(57)【要約】【課題】  映像信号の不自然な表示を防止することが可能な映像信号処理装置を提供する。【解決手段】  映像信号と前記映像信号の付加情報を受信して前記付加情報に基づいて、前記映像信号を処理することが可能な映像信号処理装置であって、前記付加情報に基づいて前記映像信号の信号レベルの所定の範囲を判定する判定手段と、前記映像信号の信号レベルを検出する検出手段と、前記映像信号を処理する処理手段と、を有し、前記処理手段は、前記映像信号に所定の範囲外の信号レベルの信号が含まれると検出された場合、所定の範囲内の信号レベルの信号を前記所定の範囲よりも広い範囲の信号に変換し、前記所定の範囲外の信号レベルの信号を前記所定の範囲外の範囲よりも狭い範囲の信号に変換することを特徴とする構成とした。【選択図】  図１
2018019358.tif 000002
【特許請求の範囲】
【請求項１】
映像信号と前記映像信号の付加情報を受信して前記付加情報に基づいて、前記映像信号を処理することが可能な映像信号処理装置であって、
前記付加情報に基づいて前記映像信号の信号レベルの所定の範囲を判定する判定手段と、
前記映像信号の信号レベルを検出する検出手段と、
前記映像信号を処理する処理手段と、
を有し、
前記処理手段は、
前記映像信号に所定の範囲外の信号レベルの信号が含まれると検出された場合、
所定の範囲内の信号レベルの信号を前記所定の範囲よりも広い範囲の信号に変換し、
前記所定の範囲外の信号レベルの信号を前記所定の範囲外の範囲よりも狭い範囲の信号に変換する
ことを特徴とする映像信号処理装置。
【請求項２】
前記処理手段は、
前記所定の範囲内の信号レベルに第１の係数を乗算し、
前記所定の範囲内の信号レベルより大きい信号レベルに第２の係数を乗算し、
前記所定の範囲内の信号レベルより小さい信号レベルに第３の係数を乗算する
ことを特徴とする請求項１に記載の映像信号処理装置。
【請求項３】
前記第１の係数は、前記第２の係数及び前記第３の係数よりも大きいことを特徴とする請求項２に記載の映像信号処理装置。
【請求項４】
前記第２の係数は、前記第３の係数よりも大きいことを特徴とする請求項３に記載の映像信号処理装置。
【請求項５】
前記検出手段は、所定の時間における前記映像信号の信号レベルを検出し、検出された前記信号レベルに基づいて、前記所定の範囲外の信号レベルの信号が含まれるか否かを検出することを特徴とする請求項１乃至４の何れか一項に記載の映像信号処理装置。
【請求項６】
前記検出手段は、所定の時間における前記信号レベルの最高レベル及び前記信号レベルの最低レベルを検出し、前記最高レベル及び前記最低レベルに基づいて、前記所定の範囲外の信号レベルの信号が含まれるか否かを検出し、
前記処理手段は、前記所定の範囲外の信号レベルの信号が含まれると検出された場合、前記最高レベル及び前記最低レベルに基づいて、前記第１の係数を導出する
ことを特徴とする請求項２乃至４の何れか一項に記載の映像信号処理装置。
【請求項７】
前記処理手段は、前記最高レベルが小さいまたは前記最低レベルが大きいほど前記第１の係数を大きくする
ことを特徴とする請求項６に記載の映像信号処理装置。
【請求項８】
前記検出手段は、所定の時間における前記信号レベルのヒストグラムに基づいて、前記所定の範囲外の信号レベルの信号が含まれるか否かを検出し、
前記処理手段は、前記所定の範囲外の信号レベルの信号が含まれると検出された場合、前記ヒストグラムに基づいて、前記第１の係数を導出する
ことを特徴とする請求項２乃至４の何れか一項に記載の映像信号処理装置。
【請求項９】
前記処理手段は、全ての信号レベルに対する前記所定の範囲外の信号レベルの割合が小さいほど、前記第１の係数を大きくする
ことを特徴とする請求項８に記載の映像信号処理装置。
【請求項１０】
前記処理手段は、
前記検出手段が、前記所定の範囲外の信号レベルの信号が含まれないと検出した場合、
前記所定の範囲の最高レベルが前記映像信号処理装置で処理可能な最高レベル、
前記所定の範囲の最低レベルが前記映像信号処理装置で処理可能な最低レベルとなるように、前記前記映像信号を処理することを特徴とする請求項１乃至９の何れか一項に記載の映像信号処理装置。
【請求項１１】
前記第１の係数を記憶する記憶手段を有し、
前記処理手段は、記憶された第１の係数と導出した前記第１の係数の差分を演算し、前記差分が所定の閾値以上の場合、記憶された第１の係数と導出した前記第１の係数を平滑化し、前記第１の係数を導出する
ことを特徴とする請求項６乃至１０の何れか一項に記載の映像信号処理装置。
【請求項１２】
前記所定の範囲は、リミテッドレンジであることを特徴とする請求項１乃至１１の何れか一項に記載の映像信号処理装置。
【請求項１３】
映像信号と前記映像信号の付加情報を受信して前記付加情報に基づいて、前記映像信号を処理することが可能な映像信号処理装置のコンピュータを動作させるコンピュータプログラムであって、
前記コンピュータに、
前記付加情報に基づいて前記映像信号の信号レベルの所定の範囲を判定させ、
前記映像信号の信号レベルを検出させ、
前記映像信号に所定の範囲外の信号レベルの信号が含まれると検出された場合、所定の範囲内の信号レベルの信号を前記所定の範囲よりも広い範囲の信号に変換し、前記所定の範囲外の信号レベルの信号を前記所定の範囲外の範囲よりも狭い範囲の信号に変換させる
ことを特徴とする信号処理制御プログラム。
【発明の詳細な説明】
【技術分野】
【０００１】
本発明は、映像信号を処理する映像信号処理装置に関する。
【背景技術】
【０００２】
映像送信装置から表示装置へと伝送される映像信号を適切な階調で表示するためには、適切な信号処理を行う必要がある。
【０００３】
従来、規定された付加情報に基づいて映像信号処理する映像信号処理装置が知られている。例えば、ＨＤＭＩ（登録商標）では、ＣＥＡ−８６１−Ｆで規定された付加情報を送信することができる。その付加情報には、信号レベルのレンジ情報が含まれており、例えば８ビットの信号レベルにおいて、０階調を黒、２５５階調を白としたフルレンジと、１６階調を黒、２３５階調を白としたリミテッドレンジが規定されている。
【０００４】
これらの信号レベルのレンジ情報に基づいて、映像信号の信号レベルの伸張処理等を行うことにより、受信した映像信号を適切な信号レベルで表示することができる。
【０００５】
特許文献１には、映像信号の輝度レベルを検出し、信号レベルのレンジを判定し、その結果に基づいて信号処理をする方法が開示されている。
【０００６】
規格に沿った付加情報が送信された場合には、その付加情報に沿って映像信号を処理することが一般には規格上正しい処理である。例えば、８ビットの階調を表示可能な表示装置に受信した映像信号を表示する場合、リミテッドレンジであることを受信すると、１６階調が表示装置の黒である０階調、２３５階調が表示装置の白である２５５階調となるように信号レベルの伸張処理を行う。
【先行技術文献】
【特許文献】
【０００７】
【特許文献１】特開２００８−２２０４９号公報
【発明の概要】
【発明が解決しようとする課題】
【０００８】
しかしながら、付加情報がリミテッドレンジであるにも関わらず、リミテッドレンジ外の信号レベルを含む映像信号が入力される場合がある。このとき、従来のフルレンジまたはリミテッドレンジに対する信号処理を行うと不自然な表示となることがある。例えば、前述の映像信号の信号レベルをフルレンジと判定した場合、信号レベルの伸張処理を行わない。従って、表示装置の１６階調が映像信号の黒、表示装置の２３５階調が白として表示されるため、黒浮きや白の輝度低下の影響が大きくなる。また、リミテッドレンジと判定した場合、リミテッドレンジ外の信号レベル（信号レベル１５階調以下及び信号レベル２３６階調以上）は、伸張処理により情報が失われ、白つぶれや黒つぶれが発生し、不自然な表示となる。
【０００９】
上述の特許文献１に開示された従来技術では、映像信号の輝度レベルから、リミテッドレンジかフルレンジかを判定しているため、リミテッドレンジ外の信号レベルを含む映像信号はフルレンジと判定される。従って、リミテッドレンジ外の信号レベルを含む映像信号を表示する際、前述したように、黒浮き、白の輝度低下の影響により、不自然な表示となってしまう。
【００１０】
そこで、本発明の目的は、映像信号の不自然な表示となることを抑制することが可能な映像信号処理装置を提供することである。
【課題を解決するための手段】
【００１１】
上記目的を達成するために、本発明は、映像信号と前記映像信号の付加情報を受信して前記付加情報に基づいて、前記映像信号を処理することが可能な映像信号処理装置であって、前記付加情報に基づいて前記映像信号の信号レベルの所定の範囲を判定する判定手段と、前記映像信号の信号レベルを検出する検出手段と、前記映像信号を処理する処理手段と、を有し、前記処理手段は、前記映像信号に所定の範囲外の信号レベルの信号が含まれると検出された場合、所定の範囲内の信号レベルの信号を前記所定の範囲よりも広い範囲の信号に変換し、前記所定の範囲外の信号レベルの信号を前記所定の範囲外の範囲よりも狭い範囲の信号に変換することを特徴とする。
【発明の効果】
【００１２】
本発明によれば、映像信号の不自然な表示となることを抑制することが可能な映像信号処理装置を提供することができる。
【図面の簡単な説明】
【００１３】
【図１】本発明の実施例１の映像信号処理装置の構成を示すブロック図。
【図２】本発明の実施例１における処理のフローチャート。
【図３】本発明の実施例１におけるリミテッドレンジ時の信号処理の例を示す図。
【図４】本発明の実施例１におけるリミテッドレンジ外信号を含む時の信号処理の例を示す図。
【図５】本発明の実施例１における信号処理と従来技術の比較を示す図。
【図６】本発明の実施例２、実施例３の映像信号処理装置の構成を示すブロック図。
【図７】本発明の実施例２、実施例３における処理のフローチャート。
【図８】本発明の実施例２における信号処理の例を示す図。
【図９】ヒストグラムの例を示す図。
【図１０】実施例３の係数の導出例を示す図。
【図１１】本発明の実施例４の映像信号処理装置の構成を示すブロック図。
【図１２】本発明の実施例４における操作入力画面の例を示す図。
【発明を実施するための形態】
【００１４】
以下に、本発明の好ましい実施の形態を、添付の図面に基づいて詳細に説明する。
【実施例１】
【００１５】
本発明の実施例１について、図１乃至図５を用いて説明する。
【００１６】
図１は本発明の実施例１における映像信号処理装置のブロック図である。
【００１７】
入力部１０は、映像信号を送信する送信装置（不図示）から送信される映像信号と付加情報を受信する。映像信号は、１０８０ｉ（１９２０×１０８０ｉ）や１０８０ｐ（１９２０×１０８０ｐ）等の解像度を有する。付加情報はＡＶＩ（Ａｕｘｉｌｉａｒｙ  Ｖｉｄｅｏ  Ｉｎｆｏｒｍａｔｉｏｎ）ＩｎｆｏＦｒａｍｅやＳＰＤ（Ｓｏｕｒｃｅ  Ｐｒｏｄｕｃｔ  Ｄｅｓｃｒｉｐｔｉｏｎ）ＩｎｆｏＦｒａｍｅ等のＩｎｆｏＦｒａｍｅパケットから構成される。入力部１０は、受信した映像信号を検出部２０、処理部４０に送信し、付加情報を判定部３０に送信する。
【００１８】
判定部３０は、入力部１０より送信された付加情報から、映像信号の信号レベルのレンジを判定する。付加情報には、信号レベルのレンジや色信号フォーマット、アスペクト比等の情報が含まれ、付加情報から、信号レベルのレンジがフルレンジかリミテッドレンジかの判定を行う。判定した結果を、検出部２０、処理部４０に送信する。
【００１９】
検出部２０は、入力部１０より送信された映像信号の特徴量を検出する。本実施例では、特徴量を検出する映像信号を、ＹＵＶフォーマットのＹ信号、８ビットのビット深度を持つものとして説明する。もちろん、ＲＧＢフォーマットのＲＧＢ信号等であってもよい。
【００２０】
映像信号の特徴量の検出は、判定部３０で判定された信号レベルが、リミテッドレンジである場合に行う。検出は、所定時間毎、例えば１フレーム毎に行い、映像信号における１６階調より低いレベルの信号（以後、ＳｕｐｅｒＢｌａｃｋとする。）及び２３５階調より高いレベルの信号（以後、ＳｕｐｅｒＷｈｉｔｅとする。）が含まれるか否かを判定する。
【００２１】
信号処理部４０は、検出部２０の検出結果及び判定部３０の判定結果に基づいて、送信された映像信号に信号処理を行う。
【００２２】
出力部５０は、信号処理部４０で信号処理された映像信号を出力する。
【００２３】
図２は処理部４０で行われる制御方法を説明するためのフローチャートであり、「Ｓ」はステップの略である。図２に示す制御方法は、コンピュータを動作させる映像信号処理制御プログラムとして具現化される。
【００２４】
Ｓ４１は、判定部３０で判定された信号レベルのレンジを確認する。リミテッドレンジである場合、Ｓ４２に遷移し、フルレンジである場合、終了する。
【００２５】
Ｓ４２は、検出部２０で検出された特徴量に基づいて、リミテッドレンジ外の信号レベルを含むか否かを判定する。リミテッドレンジ外のレベルの信号レベルがある場合、Ｓ４４に遷移し、リミテッドレンジ内のレベルの信号レベルしか検出されない場合、Ｓ４３に遷移する。
【００２６】
Ｓ４３は、リミテッドレンジ内の信号に対して所定の係数を用いた信号処理を行う。
【００２７】
Ｓ４３の信号処理について図３を用いて説明する。８ビットにおけるリミテッドレンジのレベル数は１６から２３５までの２２０レベルである。この２２０レベルを８ビットにおけるフルレンジのレベルである２５６レベルに伸張処理をする。すなわち、リミテッドレンジの最高レベル２３５が映像信号処理装置で処理可能な最高レベル２５５、リミテッドレンジの最低レベル１６が映像信号処理装置で処理可能な最低レベル０となるように信号処理を行う。
【００２８】
ここで、出力信号Ｓｏｕｔは、入力信号をＳｉｎ、入力信号の最低レベルをＯ１、信号レベルに乗算する係数をＧ、出力信号の最低レベルをＯ２とするとき、
Ｓｏｕｔ＝（Ｓｉｎ−Ｏ１）×Ｇ＋Ｏ２  （１）
で表される。すなわち、リミテッドレンジ内の信号レベルに対して、
Ｓｏｕｔ＝（Ｓｉｎ−１６）×（（２５５−０）÷（２３５−１６））＋０  （２）
のように、係数１．１６として、出力信号を算出し、所定の時間単位の処理を行い終了する。
【００２９】
Ｓ４４は、リミテッドレンジ内の信号レベル（８ビットにおける１６から２３５までの信号レベル）と、リミテッドレンジ外の信号レベル（ＳｕｐｅｒＷｈｉｔｅ／ＳｕｐｅｒＢｌａｃｋ）とにおいて、異なる係数で信号処理を行う。
【００３０】
Ｓ４４の信号処理について図４を用いて説明する。ＳｕｐｅｒＢｌａｃｋ部分のレベル数は１から１５までの１５レベル、ＳｕｐｅｒＷｈｉｔｅ部分のレベル数は２３６から２５４までの１９レベルである。リミテッドレンジ内の信号レベル、ＳｕｐｅｒＢｌａｃｋ部分、ＳｕｐｅｒＷｈｉｔｅ部分を合わせて、フルレンジの２５６レベルに合わせるように信号処理を行う。
【００３１】
図４に領域毎に係数を重み付けした処理の一例を示す。図４の処理では係数を、リミテッドレンジ内（第１の係数）＞ＳｕｐｅｒＷｈｉｔｅ（第２の係数）＞ＳｕｐｅｒＢｌａｃｋ（第３の係数）となるようにしている。
【００３２】
すなわち、リミテッドレンジ内の信号レベルに対して、
Ｓｏｕｔ＝（Ｓｉｎ−１６）×（（２４４−５）÷（２３５−１６））＋５  （３）
とし、リミテッドレンジ内の信号レベルが（５〜２４４）となるように信号処理を行う。換言すれば、リミテッドレンジの最高レベル２３５が２４４、最低レベル１６が５になるように、係数１．０９を導出する。
【００３３】
また、ＳｕｐｅｒＷｈｉｔｅの信号レベルに対して、
Ｓｏｕｔ＝（Ｓｉｎ−２３６）×（（２５５−２４５）÷（２５４−２３６））＋２４５  （４）
とし、ＳｕｐｅｒＷｈｉｔｅの信号レベルが（２４５〜２５５）となるように信号処理を行う。換言すれば、ＳｕｐｅｒＷｈｉｔｅの最高レベル２５４が２５５、最低レベル２３６が２４５になるように、係数０．５６を導出する。
【００３４】
さらに、ＳｕｐｅｒＢｌａｃｋの信号レベルに対して、
Ｓｏｕｔ＝（Ｓｉｎ−１）×（（４−０）÷（１５−１））＋０  （５）
とし、ＳｕｐｅｒＢｌａｃｋの信号レベルが（０〜４）となるように信号処理を行う。換言すれば、ＳｕｐｅｒＢｌａｃｋの最高レベル１５が４、最低レベル１が０になるように、係数０．２９を導出する。
【００３５】
すなわち、リミテッドレンジ内の信号レベルの信号をリミテッドレンジの範囲よりも広い範囲の信号に変換し、リミテッドレンジの範囲外の信号レベルの信号をリミテッドレンジの範囲外の範囲よりも狭い範囲の信号に変換している。
【００３６】
リミテッドレンジ内の信号レベル、ＳｕｐｅｒＢｌａｃｋ部分、ＳｕｐｅｒＷｈｉｔｅ部分、それぞれに対し、上記の係数により出力信号を算出し、所定の時間単位の処理を行い終了する。
【００３７】
このように、リミテッドレンジ内の信号レベルの係数を最も大きく設定することで、白の輝度低下を抑制することができる。また、ＳｕｐｅｒＢｌａｃｋの信号レベルの係数を最も小さく設定することで、黒浮きを抑制することができる。
【００３８】
図５に、本実施例の信号処理と従来技術による信号処理を比較したグラフを示す。グラフａは前述の映像信号をフルレンジとして処理をしたグラフ、グラフｂはリミテッドレンジとして処理をしたグラフ、グラフｃは図４に示すように係数を重み付けして処理をしたグラフである。
【００３９】
フルレンジとして処理した場合、グラフａに示すように、リミテッドレンジの白を示す信号レベル２３５は伸張されないため、白の輝度は低下する。
【００４０】
リミテッドレンジとして処理した場合、グラフｂに示すように、ＳｕｐｅｒＷｈｉｔｅ部分の信号に対して白つぶれが発生する。
【００４１】
本実施例の処理した場合、グラフｃに示すように、フルレンジとして処理した場合と比較して白の輝度低下を抑え、リミテッドレンジとして処理した場合と比較してＳｕｐｅｒＷｈｉｔｅ部分の信号に対しても白つぶれを抑制することができる。
【００４２】
図５はＳｕｐｅｒＷｈｉｔｅ部分の信号を例にして説明したが、黒側のＳｕｐｅｒＢｌａｃｋ部分の信号についても同様である。
【００４３】
なお説明した係数は一例であり、リミテッドレンジ内（第１の係数）＞ＳｕｐｅｒＷｈｉｔｅ（第２の係数）＞ＳｕｐｅｒＢｌａｃｋ（第３の係数）を満足する係数であればよい。
【００４４】
以上、説明したように規格の範囲外の信号レベルがある場合、規格の範囲内の信号レベルと規格の範囲外の信号レベルに対して、異なる係数を乗算することで、黒浮き、白の輝度低下を低減し、不自然な表示となることを抑制することができる。
【実施例２】
【００４５】
本発明の実施例２について、図６乃至図８を用いて説明する。
【００４６】
図６は本発明の実施例２における映像信号処理装置のブロック図である。実施例１との相違点は、記憶部（記憶手段）１６０を有している点である。なお実施例１と重複する構成に関しては実施例１と同じ符号を付け、適宜説明を省略する。
【００４７】
記憶部１６０は、信号処理部４０で導出した係数を記憶する。
【００４８】
検出部２０は、所定時間毎、例えば１フレーム毎に、映像信号の最高信号レベル及び最低信号レベルを検出する。
【００４９】
検出した最高信号レベルがＳｕｐｅｒＷｈｉｔｅの最低レベル以上であるか、また、検出した最低信号レベルがＳｕｐｅｒＢｌａｃｋの最高レベル以下であるかを判定する。
【００５０】
図７は処理部４０で行われる制御方法を説明するためのフローチャートであり、「Ｓ」はステップの略である。図７に示す制御方法は、コンピュータは実行可能なコンピュータプログラムとして具現化される。実施例１との相違点は、ステップ４４に代わり、ステップ２４４、ステップ２４５が付加された点である。また、第１の実施例と同じ符号の説明は省略する。
【００５１】
本実施例では、ＳｕｐｅｒＷｈｉｔｅが検出された場合について説明する。
【００５２】
ステップ２４４は、図８に示すように、検出された最高信号レベルが映像信号処理装置で処理可能な最高信号レベルとなるように係数を導出する。一例として、ＳｕｐｅｒＷｈｉｔｅの領域の係数を実施例１と同様に０．５６として説明する。最高信号レベルとして２４０を検出した場合、ＳｕｐｅｒＷｈｉｔｅのレベル数は、２３６〜２４０の５レベルとなる。従って、ＳｕｐｅｒＷｈｉｔｅの開始信号レベルは、係数０．５６、映像信号処理装置で処理可能な最高信号レベル２５５から、２５５−０．５６×５＝２５２と計算できる。すなわち、
Ｓｏｕｔ＝（Ｓｉｎ−２３６）×０．５６＋２５２
とし、検出されたＳｕｐｅｒＷｈｉｔｅの最高レベル（２３６〜２４０）は、（２５２〜２５５）となるように信号処理される。
【００５３】
ＳｕｐｅｒＷｈｉｔｅの開始信号レベルから、リミテッドレンジ内の信号レベルに対しての係数は、
Ｓｏｕｔ＝（Ｓｉｎ−１６）×（（２５１−０）÷（２３５−１６））＋０
となり、係数１．１５（第１の係数）が導出される。
【００５４】
このように、検出された最高レベルに応じて第１の係数を導出することで、白の輝度低下をさらに低減することができる。
【００５５】
ステップ２４５は、導出された係数で信号処理を行う。
【００５６】
まず、導出された係数と記憶部１６０に記憶されている過去に導出された係数との差分を演算する。その差分が所定の閾値以上の場合、導出された係数と記憶部１６０に記憶されている係数との平均値を演算（平滑化）し、その値を新たな係数とする。このような演算を行うことで、導出された係数が過去の値から大きく変化した場合、映像の不自然な変化を抑制することができる。一方、差分が所定の閾値未満の場合、導出された係数を信号処理に用いる。また、係数は記憶部１６０に記憶させる。
【００５７】
導出された係数により、リミテッドレンジ内の信号レベル、ＳｕｐｅｒＷｈｉｔｅ部分、それぞれに対し、上記の係数により出力信号を算出し、所定の時間単位の処理を行い終了する。
【００５８】
本実施例では、ＳｕｐｅｒＷｈｉｔｅが検出された場合について説明したが、ＳｕｐｅｒＢｌａｃｋが検出された場合、ＳｕｐｅｒＷｈｉｔｅとＳｕｐｅｒＢｌａｃｋが検出された場合についても、同様に係数を導出することができる。
【００５９】
以上説明したように、規格の範囲外の信号レベルがある場合、規格の範囲外の信号レベルに応じて係数を導出することで、黒浮き、白の輝度低下をさらに低減し、不自然な表示となることを抑制することができる。
【実施例３】
【００６０】
本発明の実施例２について、図６、図７、図９、図１０を用いて説明する。
【００６１】
図６は本発明の実施例３における映像信号処理装置のブロック図である。実施例２と同様の構成であり、適宜説明を省略する。
【００６２】
検出部２０は、所定時間毎、例えば１フレーム毎に、図９に示すような映像信号のヒストグラムを取得する。
【００６３】
取得したヒストグラムから、ＳｕｐｅｒＷｈｉｔｅの信号レベル、ＳｕｐｅｒＢｌａｃｋの信号レベルが含まれるかを判定する。
【００６４】
図７は処理部４０で行われる制御方法を説明するためのフローチャートであり、「Ｓ」はステップの略である。図７に示す制御方法は、コンピュータは実行可能なコンピュータプログラムとして具現化される。実施例１との相違点は、ステップ２４４、ステップ２４５で処理される内容である。また、第２の実施例と同じ符号の説明は省略する。
【００６５】
ステップ２４４は、取得したヒストグラムから係数を導出する。
【００６６】
始めにヒストグラムから、リミテッドレンジ内の信号レベル、ＳｕｐｅｒＢｌａｃｋ部分、ＳｕｐｅｒＷｈｉｔｅ部分のそれぞれの割合を演算する。ＳｕｐｅｒＷｈｉｔｅ部分、ＳｕｐｅｒＢｌａｃｋ部分の割合に応じて、リミテッドレンジ内の信号レベルの係数を導出する。図１０に一例を示す。ＳｕｐｅｒＢｌａｃｋ、ＳｕｐｅｒＷｈｉｔｅの割合が小さい程、リミテッドレンジ内の信号レベルの係数を大きくする。すなわち、ＳｕｐｅｒＢｌａｃｋ、ＳｕｐｅｒＷｈｉｔｅの割合が小さい場合には、リミテッドレンジ内の信号の係数を大きくすることで、黒浮き、白の輝度低下を低減させる。一方、ＳｕｐｅｒＢｌａｃｋ、ＳｕｐｅｒＷｈｉｔｅの割合が大きい場合、リミテッドレンジ内の信号の係数を小さくすることで、黒つぶれ、白つぶれを低減させる。
【００６７】
ステップ２４５は、実施例２の処理に加え、取得したヒストグラムを記憶部１６０に記憶させ、前回と今回の階級毎の度数の差分を算出し、その差分が所定の閾値より大きい場合、シーンチェンジがあったと判定し、係数の平均化処理を行わない。
【００６８】
以上説明したように、規格の範囲外の信号レベルがある場合、ヒストグラムに基づいて係数を導出することで、黒浮き、白の輝度低下をさらに低減し、不自然な表示となることを抑制することができる。
【実施例４】
【００６９】
本発明の実施例４について、図１１、図１２を用いて説明する。
【００７０】
図１１は本発明の実施例４における映像信号処理装置のブロック図である。実施例２との相違点は、操作入力部（操作入力手段）２７０を有している点とである。なお実施例２と重複する構成に関しては実施例１と同じ符号を付け、適宜説明を省略する。
【００７１】
操作入力部２７０は、不図示のリモコン、不図示の操作パネル等によりユーザ操作を受信し、信号処理部４０に受信したユーザ操作を出力する。
【００７２】
本実施例では、例えば図１１に示すようなメニューを信号処理部４０で映像信号として生成し出力部５０からする。
【００７３】
図１２の例では、ＳｕｐｅｒＷｈｉｔｅに対して操作入力を受け付けている。選択肢として「オート」、「オン」、「オフ」、「調整」があり、それぞれが選択された場合について信号処理部４０及び記憶部１６０の処理を説明する。
【００７４】
「オート」が選択された場合、信号処理部４０は、実施例２と同様に規格の範囲外の信号レベルにもとづいて、または、実施例３と同様にヒストグラムに基づいて係数を導出し、信号処理を行う。
【００７５】
「オン」が選択された場合、信号処理部４０は、実施例１と同様に、所定の係数を設定し信号処理を行う。
【００７６】
「オフ」が選択された場合、信号処理部４０は、判定部３０から送信される信号レベルのレンジに基づいて信号処理を行う。
【００７７】
「調整」が選択された場合、操作入力部２７０によって設定されたＳｕｐｅｒＷｈｉｔｅの信号に対する係数の値を記憶部２６０に記憶し、設定された係数により、実施例１と同様に信号処理を行う。
【００７８】
ここでは、図１２のＳｕｐｅｒＷｈｉｔｅに対して操作入力を受け付けている場合について説明したが、ＳｕｐｅｒＢｌａｃｋについても同様である。また、ＳｕｐｅｒＷｈｉｔｅ及びＳｕｐｅｒＢｌａｃｋの選択肢は信号レベルのレンジがフルレンジの場合、グレーアウトしてもよい。なお、本実施例では図１１を用いて操作入力部２７０の説明を行ったが、これに限定されず多様な形態をとることができる。
【００７９】
以上説明したように、信号レベルのレンジ、係数設定について、ユーザ操作を受け付けるようにすることで、所望の形態をとることができる。
【００８０】
以上、本発明の好ましい実施形態について説明したが、本発明はこれらの実施形態に限定されず、その要旨の範囲内で種々の変形及び変更が可能である。
【符号の説明】
【００８１】
２０  検出部
３０  判定部
４０  信号処理部
【図１】
2018019358.tif 000003
【図２】
2018019358.tif 000004
【図３】
2018019358.tif 000005
【図４】
2018019358.tif 000006
【図５】
2018019358.tif 000007
【図６】
2018019358.tif 000008
【図７】
2018019358.tif 000009
【図８】
2018019358.tif 000010
【図９】
2018019358.tif 000011
【図１０】
2018019358.tif 000012
【図１１】
2018019358.tif 000013
【図１２】
2018019358.tif 000014